(57)【特許請求の範囲】
【請求項１】
情報処理装置と、原稿を読み取り画像データを取得するスキャナ部および前記情報処理装置からの印刷指示を受け付けて印刷処理を行なう印刷部を備えた複合機と、を有する印刷システムであって、
前記複合機は、
前記スキャナ部で読み取った画像データを、前記情報処理装置を経由して印刷させるＰＣコピーの指示を利用者から受付ける手段と、
前記ＰＣコピーの指示を受けた場合、前記スキャナ部で読み取った画像データが含まれるＰＣコピー要求情報を前記情報処理装置に送信する手段と、有し、
前記情報処理装置は、
自身に接続されている機器の中の１台を通常使うプリンタとして設定する設定手段と、
前記複合機からのＰＣコピー要求情報を受信した場合、前記設定手段に設定されている通常使うプリンタが前記複合機であるか否かを判定し、該複合機であると判定した場合、前記ＰＣコピー要求情報に含まれる画像データに対する印刷指示を前記複合機に送信し、該複合機でないと判定した場合、利用者に前記画像データに対する印刷処理を行う機器の設定を促す処理を行う印刷制御手段と、を有すること
を特徴とする印刷システム。
【請求項２】
情報処理装置と、原稿を読み取り画像データを取得するスキャナ部および前記情報処理装置からの印刷指示を受け付けて印刷処理を行なう印刷部を備えた複合機と、を有する印刷システムであって、
前記複合機は、
前記スキャナ部で読み取った画像データを、前記情報処理装置を経由して印刷させるＰＣコピーの指示を利用者から受付ける手段と、
前記ＰＣコピーの指示を受けた場合、前記スキャナ部で読み取った画像データおよび前記複合機を識別する機器識別情報が含まれるＰＣコピー要求情報を前記情報処理装置に送信する手段と、有し、
前記情報処理装置は、
自身に接続されている機器を識別する機器識別情報に、該機器識別情報が示す機器の種類を示す情報を対応付けた機器情報を保持していて、
自身に接続されている機器の中の１台を通常使うプリンタとして設定する設定手段と、
前記接続されている機器からのＰＣコピー要求情報を受信する手段と、
前記受信したＰＣコピー要求情報に対応する印刷指示を行う印刷制御手段と、を有し、
前記印刷制御手段は、
前記受信手段がＰＣコピー要求情報を受信すると、該ＰＣコピー要求情報に含まれる機器識別情報と、前記保持している機器情報とを用いて、前記ＰＣコピー要求情報を送信した機器が複合機であるか否か判定し、
前記ＰＣコピー要求情報を送信した機器が複合機ではないと判定した場合に、前記ＰＣコピー要求情報に含まれる画像データに対する印刷指示を前記通常使うプリンタとして設定されている機器に送信し、
前記ＰＣコピー要求情報を送信した機器が複合機であると判定した場合に、前記設定手段に設定されている通常使うプリンタが前記複合機であるか否かを判定し、該複合機であると判定した場合には前記ＰＣコピー要求情報に含まれる画像データに対する印刷指示を前記複合機に送信し、該複合機でないと判定した場合には利用者に前記画像データに対する印刷処理を行う機器の設定を促す処理を行うこと
を特徴とする印刷システム。
【請求項３】
請求項１または２に記載の印刷システムであって、
前記情報処理装置には表示装置が接続されていて、
前記画像データに対する印刷処理を行う機器の設定を促す処理とは、前記設定手段に設定されている通常使うプリンタの設定変更を促す画像を前記表示装置に表示する処理であること
を特徴とする印刷システム。
【請求項４】
請求項１または２に記載の印刷システムであって、
前記情報処理装置には表示装置が接続されていて、
前記画像データに対する印刷処理を行う機器の設定を促す処理とは、前記受信したＰＣコピー要求情報に含まれる画像データを印刷する機器の設定を促す画像を前記表示装置に表示する処理であること
を特徴とする印刷システム。
【請求項５】
請求項１または２に記載の印刷システムであって、
前記複合機には表示パネルが設けられていて、
前記画像データに対する印刷処理を行う機器の設定を促す処理とは、前記設定手段に設定されている通常使うプリンタの設定変更を促す画像を前記複合機の表示パネルに表示させる処理であること
を特徴とする印刷システム。
【請求項６】
請求項１または２に記載の印刷システムであって、
前記複合機には表示パネルが設けられていて、
前記画像データに対する印刷処理を行う機器の設定を促す処理とは、前記受信したＰＣコピー要求情報に含まれる画像データを印刷する機器の設定を促す画像を前記複合機の表示パネルに表示させる処理であること
を特徴とする印刷システム。
【請求項７】
情報処理装置と、原稿を読み取り画像データを取得するスキャナ部および前記情報処理装置からの印刷指示を受け付けて印刷処理を行なう印刷部を備えた複合機と、を有する印刷システムであって、
前記複合機は、
前記スキャナ部で読み取った画像データを、前記情報処理装置を経由して印刷させるＰＣコピーの指示を利用者から受付ける手段と、
前記ＰＣコピーの指示を受けた場合、前記スキャナ部で読み取った画像データおよび前記複合機を識別する機器識別情報が含まれるＰＣコピー要求情報を前記情報処理装置に送信する手段と、有し、
前記情報処理装置は、
自身に接続されている機器を識別する機器識別情報に、該機器識別情報が示す機器の種類を示す情報を対応付けた機器情報を保持していて、
自身に接続されている機器の中の１台を通常使うプリンタとして設定する設定手段と、
前記接続されている機器からのＰＣコピー要求情報を受信する手段と、
前記受信したＰＣコピー要求情報に対応する印刷指示を行う印刷制御手段と、を有し、
前記印刷制御手段は、
前記受信手段がＰＣコピー要求情報を受信すると、該ＰＣコピー要求情報に含まれる機器識別情報と、前記保持している機器情報とを用いて、前記ＰＣコピー要求情報を送信した機器が複合機であるか否か判定し、
前記ＰＣコピー要求情報を送信した機器が複合機ではないと判定した場合に、前記ＰＣコピー要求情報に含まれる画像データに対する印刷指示を前記通常使うプリンタとして設定されている機器に送信し、
前記ＰＣコピー要求情報を送信した機器が複合機であると判定した場合に、前記設定手段の設定に関係なく、前記ＰＣコピー要求情報に含まれる画像データに対する印刷指示を前記複合機に送信すること
を特徴とする印刷システム。
【請求項８】
情報処理装置と、原稿を読み取り画像データを取得するスキャナ部および前記情報処理装置からの印刷指示を受け付けて印刷処理を行なう印刷部を備えた複合機と、を有する印刷システムにおいて、前記複合機の制御に関する処理を情報処理装置に実行させる印刷制御プログラムであって、
前記複合機には、前記スキャナ部で読み取った画像データを、前記情報処理装置を経由して印刷させるＰＣコピーの指示を利用者から受付ける手段と、前記ＰＣコピーの指示を受けた場合、前記スキャナ部で読み取った画像データが含まれるＰＣコピー要求情報を前記情報処理装置に送信する手段と、が設けられていて、
前記情報処理装置は、自身に接続されている機器の中の１台が通常使うプリンタとして設定されていて、
前記印刷制御プログラムは、
前記複合機からのＰＣコピー要求情報を受信するステップと、
前記ＰＣコピー要求情報を受信した場合、前記設定されている通常使うプリンタが前記複合機であるか否かを判定するステップと、
前記複合機であると判定した場合に前記ＰＣコピー要求情報に含まれる画像データに対する印刷指示を前記複合機に送信し、該複合機でないと判定した場合に利用者に前記画像データに対する印刷処理を行う機器の設定を促す処理を行うステップと、を前記情報処理装置に実行させること
を特徴とする印刷制御プログラム。
【請求項９】
情報処理装置と、原稿を読み取り画像データを取得するスキャナ部および前記情報処理装置からの印刷指示を受け付けて印刷処理を行なう印刷部を備えた複合機と、を有する印刷システムにおいて、該印刷システムが行う印刷制御方法であって、
前記複合機は、
前記スキャナ部で読み取った画像データを、前記情報処理装置を経由して印刷させるＰＣコピーの指示を利用者から受付けるステップと、
前記ＰＣコピーの指示を受けた場合、前記スキャナ部で読み取った画像データが含まれるＰＣコピー要求情報を前記情報処理装置に送信するステップと、を行い、
前記情報処理装置は、
自身に接続されている機器の中の１台を通常使うプリンタとして設定されていて、
前記複合機からのＰＣコピー要求情報を受信するステップと、
前記ＰＣコピー要求情報を受信した場合、前記設定されている通常使うプリンタが前記複合機であるか否かを判定するステップと、
前記複合機であると判定した場合には前記ＰＣコピー要求情報に含まれる画像データに対する印刷指示を前記複合機に送信し、該複合機でないと判定した場合には利用者に前記画像データに対する印刷処理を行う機器の設定を促す処理を行うステップと、を実行すること
を特徴とする印刷制御方法。
【発明の詳細な説明】
【技術分野】
【０００１】
本発明は、印刷システムの技術に関し、特にスキャナで読み取った画像を情報処理装置経由で印刷するための技術に関する。
【背景技術】
【０００２】
従来から、コンピュータと、スキャナと、プリンタとを備え、スキャナが読み取った画像を、コンピュータを経由してプリンタに出力させるシステムが知られている（例えば、特許文献１）。特許文献１によれば、複写機がなくても、コピーをとることが可能となる。なお、特許文献１に記載されているような、スキャナで読み取った画像を、コンピュータを経由してプリンタに出力させる処理は、コンピュータがこれらの処理を実現するためのプログラム（コピーユーティリティ）を実行することにより行われるのが一般的である。
【０００３】
また、近年は、スキャナ、プリンタ、およびファクシミリ装置の各機能（スキャナ機能、印刷機能、およびファクシミリ通信機能）を１台の装置により実現する複合機が普及してきている。そして、複合機には、複写データや転送データ等のデータ種別により優先順位をつけて印刷するものもある（例えば、特許文献２）。
【０００４】
【特許文献１】特開平１１−１７５２９９号公報
【特許文献２】特開２００２−２１８１１８号公報
【発明の開示】
【発明が解決しようとする課題】
【０００５】
ところで、複合機とコンピュータとを備えるシステムには、特許文献１に記載されているような、スキャナ機能で読み取ったスキャン画像を、複合機と接続しているコンピュータを経由して印刷させる機能（ＰＣコピー機能）が設けられているものが多い。具体的には、複合機に、コピーユーティリティがインストールされたコンピュータを接続する。そして、利用者が複合機を操作してスキャン画像のＰＣコピーを要求すると、複合機は、接続されているコンピュータにスキャン画像を送信してＰＣコピーを要求する。コンピュータは、スキャン画像のＰＣコピーの要求を受付けると、ＯＳ（operating system）に「通常使うプリンタ」として設定されている機器に自動的に印刷を行わせる。このような場合、ＯＳに設定されている「通常使うプリンタ」が複合機でなければ、利用者は、複合機の前で画像読み取り作業をしているにも関わらず、わざわざ、ＯＳに設定されているプリンタまで印刷物を取りに行かなければならず面倒である。したがって、複合機とコンピュータとを有するシステムにおいては、複合機からＰＣコピーを行なう際、印刷するプリンタを選択できれば便利である。或いは、複合機からＰＣコピーを行なう際、コンピュータに設定操作をしなくても、複合機からＰＣコピーが出力されれば便利である。
【０００６】
上記特許文献１は、複写機がなくても、コピーをとることを実現することを考慮したものであるが、ＰＣコピーをする際の利便性を向上させることについて考慮したものではない。なお、特許文献１は、複合機とコンピュータとを有するシステムに関する技術ではないため、複合機で行うＰＣコピーについて特に考慮されていない。
【０００７】
上記特許文献２は、複合機が印刷する際のデータの順番を定める技術であり、ＰＣコピーを行う際の印刷処理の利便性を向上させることについて考慮したものではない。
【０００８】
本発明は、上記事情に鑑みてなされたものであり、本発明の目的は、複合機とコンピュータとを有するシステムにおいて、ＰＣコピーを行なう際の利便性を向上させることにある。
【課題を解決するための手段】
【０００９】
上記課題を解決するため、本発明の第１の態様は、情報処理装置と、原稿を読み取り画像データを取得するスキャナ部および前記情報処理装置からの印刷指示を受け付けて印刷処理を行なう印刷部を備えた複合機と、を有する印刷システムに適用される。
【００１０】
そして、前記複合機は、前記スキャナ部で読み取った画像データを、前記情報処理装置を経由して印刷させるＰＣコピーの指示を利用者から受付ける手段と、前記ＰＣコピーの指示を受けた場合、前記スキャナ部で読み取った画像データが含まれるＰＣコピー要求情報を前記情報処理装置に送信する手段と、有し、前記情報処理装置は、自身に接続されている機器の中の１台を通常使うプリンタとして設定する設定手段と、前記複合機からのＰＣコピー要求情報を受信した場合、前記設定手段に設定されている通常使うプリンタが前記複合機であるか否かを判定し、該複合機であると判定した場合には前記ＰＣコピー要求情報に含まれる画像データに対する印刷指示を前記複合機に送信し、該複合機でないと判定した場合には利用者に前記画像データに対する印刷処理を行う機器の設定を促す処理を行う印刷制御手段と、を有する。
【００１１】
このように、本発明の第１の態様によれば、複合機から送信されるＰＣコピー要求情報を受信すると、情報処理装置に通常使うプリンタとして設定されている機器が複合機であるか否かを判定し、複合機でなければ利用者に印刷処理を行う機器の設定を促すようにしている。そのため、利用者は、複合機からＰＣコピーを行なう際、情報処理装置の通常使うプリンタの設定が複合機ではない場合でも、印刷先を設定し直すことが可能になり、印刷システムの利便性が向上する。
【００１２】
また、上記課題を解決するための本発明の第２の態様は、情報処理装置と、原稿を読み取り画像データを取得するスキャナ部および前記情報処理装置からの印刷指示を受け付けて印刷処理を行なう印刷部を備えた複合機と、を有する印刷システムに適用される。
【００１３】
そして、前記複合機は、前記スキャナ部で読み取った画像データを、前記情報処理装置を経由して印刷させるＰＣコピーの指示を利用者から受付ける手段と、前記ＰＣコピーの指示を受けた場合、前記スキャナ部で読み取った画像データおよび前記複合機を識別する機器識別情報が含まれるＰＣコピー要求情報を前記情報処理装置に送信する手段と、有し、前記情報処理装置は、自身に接続されている機器を識別する機器識別情報に、該機器識別情報が示す機器の種類を示す情報を対応付けた機器情報を保持していて、自身に接続されている機器の中の１台を通常使うプリンタとして設定する設定手段と、前記接続されている機器からのＰＣコピー要求情報を受信する手段と、前記受信したＰＣコピー要求情報に対応する印刷指示を行う印刷制御手段と、を有し、前記印刷制御手段は、前記受信手段がＰＣコピー要求情報を受信すると、該ＰＣコピー要求情報に含まれる機器識別情報と、前記保持している機器情報とを用いて、前記ＰＣコピー要求情報を送信した機器が複合機であるか否か判定し、前記ＰＣコピー要求情報を送信した機器が複合機ではないと判定した場合に、前記ＰＣコピー要求情報に含まれる画像データに対する印刷指示を前記通常使うプリンタとして設定されている機器に送信し、前記ＰＣコピー要求情報を送信した機器が複合機であると判定した場合に、前記設定手段に設定されている通常使うプリンタが前記複合機であるか否かを判定し、該複合機であると判定した場合には前記ＰＣコピー要求情報に含まれる画像データに対する印刷指示を前記複合機に送信し、該複合機でないと判定した場合には利用者に前記画像データに対する印刷処理を行う機器の設定を促す処理を行う。
【００１４】
このように、本発明の第２の態様では、ＰＣコピー要求情報を送信した機器が複合機であるか否かを判定し、複合機でなければ一般的な印刷制御を行い（通常使うプリンタとして設定されている機器で印刷処理を行い）、複合機である場合に、さらに、情報処理装置に通常使うプリンタとして設定されている機器が複合機であるか否かを判定し、複合機でなければ利用者に印刷処理を行う機器の設定を促すようにしている。このため、第２の態様でも、第１の態様と同様の作用効果を奏することが可能になる。
【００１５】
また、上記第１の態様、または、上記第２の態様の印刷システムであって、前記情報処理装置には表示装置が接続されていて、前記画像データに対する印刷処理を行う機器の設定を促す処理とは、前記設定手段に設定されている通常使うプリンタの設定変更を促す画像を前記表示装置に表示する処理であることとしてもよい。
【００１６】
このように構成することにより、利用者は、複合機を操作してＰＣコピーを要求し、接続先の情報処理装置の通常使うプリンタの設定が複合機になっていない場合に、その通常使うプリンタの設定を変更することができる。そして、利用者が設定を変更すれば、次に複合機からＰＣコピーを要求する際には、自動的に複合機にＰＣコピーの出力を実行させることができるようになる。
【００１７】
また、上記第１の態様、または、上記第２の態様の印刷システムであって、前記情報処理装置には表示装置が接続されていて、前記画像データに対する印刷処理を行う機器の設定を促す処理とは、前記受信したＰＣコピー要求情報に含まれる画像データを印刷する機器の指定を促す画像を前記表示装置に表示する処理であることとしてもよい。
【００１８】
このように構成することにより、利用者は、複合機を操作してＰＣコピーを要求し、接続先の情報処理装置の通常使うプリンタの設定が複合機になっていない場合に、そのＰＣコピーの印刷先だけ設定することができるようになる。そのため、通常は、情報処理装置に接続されている他のプリンタから印刷させたいが、複合機を利用する場合にだけ、複合機から印刷物を出力させたい場合等に有効である。
【００１９】
また、上記第１の態様、または、上記第２の態様の印刷システムであって、前記複合機には表示パネルが設けられていて、前記画像データに対する印刷処理を行う機器の設定を促す処理とは、前記設定手段に設定されている通常使うプリンタの設定変更を促す画像を前記複合機の表示パネルに表示させる処理であることとしてもよい。また、前記画像データに対する印刷処理を行う機器の設定を促す処理とは、前記受信したＰＣコピー要求情報に含まれる画像データを印刷する機器の指定を促す画像を前記複合機の表示パネルに表示させる処理であることとしてもよい。
【００２０】
このように構成することにより、複合機が情報処理装置から離れた位置に設定されているような場合、利用者は、複合機から離れずにＰＣコピーの出力先を設定することが可能になる。
【００２１】
上記課題を解決するため、本発明の第３の態様は、情報処理装置と、原稿を読み取り画像データを取得するスキャナ部および前記情報処理装置からの印刷指示を受け付けて印刷処理を行なう印刷部を備えた複合機と、を有する印刷システムに適用される。
【００２２】
そして、前記複合機は、前記スキャナ部で読み取った画像データを、前記情報処理装置を経由して印刷させるＰＣコピーの指示を利用者から受付ける手段と、前記ＰＣコピーの指示を受けた場合、前記スキャナ部で読み取った画像データおよび前記複合機を識別する機器識別情報が含まれるＰＣコピー要求情報を前記情報処理装置に送信する手段と、有し、前記情報処理装置は、自身に接続されている機器を識別する機器識別情報に、該機器識別情報が示す機器の種類を示す情報を対応付けた機器情報を保持していて、自身に接続されている機器の中の１台を通常使うプリンタとして設定する設定手段と、前記接続されている機器からのＰＣコピー要求情報を受信する手段と、前記受信したＰＣコピー要求情報に対応する印刷指示を行う印刷制御手段と、を有し、前記印刷制御手段は、前記受信手段がＰＣコピー要求情報を受信すると、該ＰＣコピー要求情報に含まれる機器識別情報と、前記保持している機器情報とを用いて、前記ＰＣコピー要求情報を送信した機器が複合機であるか否か判定し、前記ＰＣコピー要求情報を送信した機器が複合機ではないと判定した場合に、前記ＰＣコピー要求情報に含まれる画像データに対する印刷指示を前記通常使うプリンタとして設定されている機器に送信し、前記ＰＣコピー要求情報を送信した機器が複合機であると判定した場合に、前記設定手段の設定に関係なく、前記ＰＣコピー要求情報に含まれる画像データに対する印刷指示を前記複合機に送信する。
【００２３】
このように、本発明の第３の態様によれば、ＰＣコピー要求情報を送信した機器が複合機であるか否かを判定し、複合機でなければ一般的な印刷制御を行い、複合機である場合には、自動的に、複合機に印刷処理を実行させるようにしている。そのため、利用者は、複合機からＰＣコピー要求の操作をするだけで、他の操作をすることなく、且つ情報処理装置に通常使用するプリンタの設定に関係なく、複合機にＰＣコピーを出力させることができるようなる。
【発明を実施するための最良の形態】
【００２４】
以下、本発明の実施形態について図面を用いて説明する。
【００２５】
先ず、本発明の一実施形態が適用された印刷システムについて、図１を用いて説明する。
【００２６】
図１は、本発明の実施形態の印刷システムの機能ブロック図である。
【００２７】
図示するように、本実施形態の印刷システムは、情報処理装置１００と、情報処理装置１００に接続されている複合機２００と、を有する。また、情報処理装置１００は、ネットワーク５００を介し、プリンタ３００、プリタン３１０、およびスキャナ６００に接続されている。そして、情報処理装置１００は、プリタ３００、プリンタ３１０、およびスキャナ６００の各々とネットワーク５００を介して通信可能に構成されている。なお、ネットワーク５００の具体的な構成について特に限定しないが、例えば、ＬＡＮ（Local Area Network）を用いることができる。また、ネットワーク５００には、プリンタ３００、プリンタ３１０、およびスキャナ６００が接続されているがこれは例示に過ぎない。ネットワーク５００に、他の機器、例えば、他の情報処理装置、他のスキャナ装置、他のプリンタが接続されていてもかまわない。
【００２８】
また、情報処理装置１００には、表示装置４００と、図示しない入力装置が接続されている。表示装置４００は、情報処理装置１００から出力される画像情報を表示部４１０に表示するもので、例えば、液晶ディスプレイ等を用いることができる。また、入力装置（図示しない）は、利用者からの操作要求等を受け付けるもので、例えば、キーボード、マウス等を用いることができる。
【００２９】
複合機２００は、文書、写真、書籍等の原稿を画像データとして読み取るスキャナ機能と、印刷処理を行うプリンタ機能とを備える。また、複合機２００は、スキャナ機能で読み取った画像データをプリンタ機能により直接印刷するローカルコピーと、スキャナ機能で読み取った画像データを情報処理装置１００に送信し、情報処理装置１００に画像データの印刷に関する処理を依頼するＰＣコピーの要求とが実行可能に構成されている。
【００３０】
スキャナ６００は、文書、写真、書籍等の原稿を画像データとして読み取り、その読み取った画像データをネットワーク５００経由で情報処理装置１００に出力する。また、スキャナ６００は、利用者からの要求に応じて、読み取った画像データの印刷を情報処理装置１００に依頼するＰＣコピーの要求が実行可能に構成されている。なお、スキャナ６００には、例えば、フラットベット型のイメージスキャー装置等を用いることができる。
【００３１】
なお、本実施形態では、複合機２００およびスキャナ６００がＰＣコピーの要求を行う際に、情報処理装置に送信するデータ（以下において、「ＰＣコピー要求」という）の構成について特に限定しない。しかし、以下の説明では、「ＰＣコピー要求」には、原稿から読み取って得た「画像データ」と、「ＰＣコピー要求」を送信する機器を識別するための「機器識別情報」とが含まれているものとする。
【００３２】
情報処理装置１００は、複合機２００或いはスキャナ６００が送信した「ＰＣコピー要求」を受付けると、「ＰＣコピー要求」に含まれる画像データから印刷データを生成し、自身に接続されている機器（プリンタ或いは複合機）に印刷データを送信して印刷処理を実行させる。
【００３３】
プリンタ３００、３１０は、情報処理装置１００が出力する印刷データをネットワーク５００経由で受付け、その受付けた印刷データを印刷処理する。なお、プリンタ３００、３１０には、例えば、レーザプリンタ等を用いることができる。
【００３４】
そして、本実施形態では、複合機２００がＰＣコピーの要求を行った場合、情報処理装置１００は、自身に「通常使うプリンタ」として設定されている機器が複合機２００であるか否かを判定する。そして、情報処理装置１００は、自身に「通常使用するプリンタ」として設定されている機器が複合機２００ではないと判定すると、利用者に、読み取った画像データを印刷するプリンタを選択する機会を与える。一方、情報処理装置１００は、判定の結果、複合機２００であると判定した場合、その画像データを複合機２００に印刷させる。
【００３５】
このように構成することにより、スキャナ機能を備えた複合機２００と、情報処理装置とを有する印刷システムにおいて、ＰＣコピーを行う際の利便性を向上させることができる。例えば、複合機２００に接続されている情報処理装置１００に「通常使うプリンタ」として設定されている機器が、複合機２００の設置場所から遠く離れた位置に設置されていることもある。このような場合、本実施形態によれば、利用者は、ＰＣコピーを行う際、その出力先を複合機２００に設定できるため、わざわざ離れた位置にあるプリンタまで印刷物を取りに行く必要がなくなる。以下、複合機２００および情報処理装置１００の構成について具体的に説明する。
【００３６】
先ず、複合機２００について説明する。複合機２００は、各種の情報を画面表示する表示パネル２１０と、入力部２２０と、スキャナ機能を実現するための画像読み取り部２３０と、プリンタ機能を実現するための印刷処理部２４０と、入出力インタフェース（ＩＯＩ／Ｆ）２５０と、を有する。
【００３７】
表示パネル２１０は、複合機２００の操作のための情報やエラー情報等の各種の情報を画像表示する。例えば、表示パネル２１０には、液晶ディスプレイを用いることができる。
【００３８】
入力部２２０は、利用者からの各種要求を受け付け、その受付けた要求を画像読み取り部２３０および印刷処理部２４０に出力する。例えば、入力部２２０は、利用者からのＰＣコピーの要求を受付け、受付けた要求を画像読み取り部２３０に出力する。なお、入力部２２０は、操作ボタン等のハードスイッチにより構成されていてもよいし、表示パネル２１０上に設けられたタッチパネルにより構成されていてよい。
【００３９】
Ｉ／ＯＩＦ２５０は、情報処理装置１００等の外部の装置との間で行うデータの送受信の制御を行う。
【００４０】
画像読み取り部２３０は、図示しない原稿台に搭載された原稿を画像データとして読み取る。画像読み取り部２２０は、入力部２２０が受けた利用者からの要求にしたがい、読み取った画像データを出力する。例えば、入力部２２０が受付けた利用者からの要求がローカルコピーの指示の場合、画像読み取り部２３０は、読み取った画像データを印刷処理部２４０に出力し、印刷処理部２４０に画像データの印刷処理を実行させる。また、例えば、入力部２２０が受付けた利用者からの要求がＰＣコピーの指示の場合、画像読み取り部２３０は、読み取った画像データの「ＰＣコピー要求」を生成し、ＩＯＩ／Ｆ２５０を介して、「ＰＣコピー要求」を情報処理装置１００に送信する。
【００４１】
なお、本実施形態の画像読み取り部２３０は、既存のスキャナ装置の技術により実現されるものである。そのため、ここでは、画像読み取り部２３０のハードウェア構成の詳細な説明は省略する。例えば、画像読み取り部２３０は、読み取り対象の原稿を搭載するための原稿台と、原稿に光を照射するランプと、原稿に照射した光の反射光（或いは透過光）を検出するＣＣＤ等からなるイメージセンサと、ランプやイメージセンサを搭載して原稿の副走査方向に移動するキャリッジと、イメージセンサが検出したデータを取得して原稿の画像データを生成する画像処理回路と、ランプの点灯・消灯、キャリッジの移動、イメージセンサや画像処理回路の動作等を制御するＣＰＵを備える制御回路等により構成される。
【００４２】
印刷処理部２４０は、画像データを用紙等の媒体に印刷処理する。具体的には、印刷処理部２４０は、画像読み取り装置２３０から出力された画像データを受付けた場合、その画像データから印刷データを生成し、その印刷データを用紙等の媒体に印刷する。また、印刷処理部２４０は、情報処理装置１００からの印刷データをＩＯＩ／Ｆ２５０を介して受付ける。そして、印刷処理部２４０は、受付けた印刷データを用紙等の媒体に印刷する。
【００４３】
なお、本実施形態の印刷処理部２４０は、既存のプリンタの技術により実現されるものである。そのため、印刷処理部２４０のハードウェア構成の具体的な構成の説明は省略する。例えば、印刷処理部２４０は、レーザプリンタであれば、制御回路、画像処理回路、レーザ照射機構、感光体ドラム、紙送り機構等により構成される。
【００４４】
続いて、情報処理装置１００の構成を説明する。情報処理装置１００は、複合機２００（またはスキャナ６００）からの「ＰＣコピー要求」を受付けた場合、自身に接続されているいずれかのプリンタ（ここでは、複合機２００、プリンタ３００、およびプリンタ３１０のいずれか）に「ＰＣコピー要求」に含まれている画像データの印刷処理を行わせる。
【００４５】
具体的には、情報処理装置１００は、コピーユーティリティ処理部１１０、ＯＳ処理部１２０、入出力インタフェース（ＩＯＩ／Ｆ）１３０、およびネットワークインタフェース（ＮＷＩ／Ｆ）１４０を有する。
【００４６】
ＩＯＩ／Ｆ１３０は、情報処理装置１００にローカル接続する外部機器との間で行われるデータの送受信を制御する。例えば、ＩＯＩ／Ｆ部１３０は、表示装置４００に画像データを送信し、表示装置４００の表示部４１０に画像データを画面表示させる。また、ＩＯＩ／Ｆ１３０は、複合機２００から送信される「ＰＣコピー要求」を受け付け、その受け付けた「ＰＣコピー要求」をＯＳ処理部１２０に出力する。また、ＩＯＩ／Ｆ１３０は、コピーユーティリティ処理部１１０が生成した印刷データをＯＳ処理部１２０経由で受付け、その印刷データを複合機２００に出力する。
【００４７】
ＮＷＩ／Ｆ１４０は、ネットワーク５００に接続されている装置との間で行われるデータの送受信を制御する。例えば、ＮＷＩ／Ｆ１４０は、コピーユーティリティ処理部１１０が生成した印刷データをＯＳ処理部１２０経由で受付け、その印刷データをネットワーク５００経由でプリンタ３００（または、プリンタ３１０）に出力する。
【００４８】
ＯＳ処理部１２０は、コピーユーティリティ処理部１１０、ＩＯＩ／Ｆ１３０、ＮＷＩ／Ｆ１４０等を統括的に管理する。ＯＳ処理部１２０は、例えば、コピーユーティリティ処理部１１０が利用する情報処理装置１００のハードウェア資源を割り当てや、ＩＯＩ／Ｆ１３０やＮＷＩ／Ｆ１４０に接続されている機器の管理等を行う。
【００４９】
具体的には、ＯＳ処理部１２０は、情報処理装置１００に接続されている機器に関する「機器情報」を保持している。この「機器情報」には、情報処理装置１００にローカル接続されている機器（ＩＯＩ／Ｆ１３０に接続されている機器）、および、ネットワーク５００を介して通信可能な機器（ＮＷＩ／Ｆ１４０を介してネットワーク５００上で接続されている機器）を識別する機器識別情報と、機器識別情報に対応付けられた機器種別情報（機器識別情報により特定される機器の種類（複合機、プリンタ等）を示す情報）とが含まれている。
【００５０】
また、ＯＳ処理部１２０には、情報処理装置１００の「通常使うプリンタ」が設定されている。すなわち、ＯＳ処理部１２０は、情報処理装置１００に接続されている機器（複合機２００、プリンタ３００、プリンタ３１０）の中の１台を「通常使うプリンタ」として設定している。具体的には、ＯＳ処理部１２０は、「通常使うプリンタ」として設定する機器の選択を、入力装置（図示しない）を介して受付ける。ＯＳ処理部１２０は、選択された機器を「通常使うプリンタ」として設定し、その設定された機器の情報を保持する。なお、以下では、ＯＳ処理部１２０は、「通常使うプリンタ」として設定された機器の「機器識別情報」を「通常使うプリンタの機器識別情報」として保持するものとする。
【００５１】
ＯＳ処理部１２０は、コピーユーティリティ処理部１１０から送信される印刷データを受付ける。ＯＳ処理部１２０は、設定されている「通常使うプリンタ」にその印刷データを出力する。例えば、ＯＳ処理部１２０は、「通常使うプリンタ」として複合機２００が設定されていれば、複合機２００に印刷データを出力して印刷処理を行わせる。また、例えば、ＯＳ処理部１２０は、「通常使うプリンタ」としてプリンタ３００が設定されていれば、プリンタ３００に印刷データを出力して印刷処理を行わせる。なお、本実施形態では、ＯＳ処理部１２０は、コピーユーティリティ処理部１１０から印刷処理を行う機器が通知されることがある。この場合、ＯＳ処理部１２０は、その通知された機器に印刷データを出力する。
【００５２】
コピーユーティリティ処理部１１０は、複合機２００或いはスキャナ６００が送信した「ＰＣコピー要求」を受付け、その「ＰＣコピー要求」に含まれる画像データの印刷処理を、情報処理装置１００に接続されているいずれかのプリンタ（複合機２００、プリンタ３００、プリンタ３１０のいずれか）に実行させる。
【００５３】
具体的には、コピーユーティリティ処理部１１０は、「ＰＣコピー要求」に含まれる機器識別情報とＯＳ処理部１２０が保持している機器情報とを用いて、「ＰＣコピー要求」を送信した機器が複合機２００であるか否かを判定する。そして、コピーユーティリティ処理部１１０は、「ＰＣコピー要求」を送信した機器が複合機２００ではないと判定した場合、通常使うプリンタとして設定されているプリンタに、「ＰＣコピー要求」に含まれる画像データの印刷を実行させる。
【００５４】
一方、コピーユーティリティ処理部１１０は、「ＰＣコピー要求」を送信した機器が複合機２００と判定した場合、さらに、ＯＳ処理部１２０に設定されている「通常使うプリンタ」が複合機２００であるか否かの判定を行う。コピーユーティリティ処理部１１０は、「通常使うプリンタ」が複合機２００ではないと判定した場合、利用者に印刷処理するプリンタの選択を促す。また、コピーユーティリティ処理部１１０は、「通常使うプリンタ」が複合機２００であると判定した場合、複合機２００に「ＰＣコピー要求」に含まれる画像データの印刷を実行させる。
【００５５】
続いて、本実施形態の情報処理装置１００のハードウェア構成について図２を用いて説明する。
【００５６】
図２は、本実施形態の印刷システムの情報処理装置のハードウェア構成図である。
【００５７】
図示するように、情報処理装置１００は、各種の処理を実行するＣＰＵ（Central Processing Unit）１０と、ワークエリアとして機能する主記憶装置２０と、ＣＰＵ１０が実行するプログラムや各種データを記憶する補助記憶装置３０と、ＩＯＩ／Ｆ１３０と、ＮＷＩ／Ｆ１４０とを有する。なお、主記憶装置２０には、例えば、ＲＡＭ（Random Access Memory）等を用いることができる。補助記憶装置には、例えば、ハードディスク装置等を用いることができる。また、補助記憶装置には、ＯＳ処理部１２０の機能を実現するためのＯＳ（Operating System）１０００と、コピーユーティリティ処理部１０００の機能を実現するためのコピーユーティリティプログラム２０００とが記憶されている。
【００５８】
そして、上述したＯＳ処理部１２０の機能は、ＣＰＵ１０が補助記憶装置３０に記憶されているＯＳ１０００を主記憶装置２０にロードして実行することにより実現される。また、コピーユーティリティ処理部１１０の機能は、ＣＰＵ１０が補助記憶装置３０に記憶されているコピーユーティリティプログラム２０００を主記憶装置２０にロードして実行することにより実現される。
【００５９】
続いて、本実施形態の印刷システムの情報処理装置１００がＰＣコピー要求を受けた場合に行う処理のフローを、図３を用いて説明する。
【００６０】
図３は、本実施形態の情報処理装置のＰＣコピー要求に対する処理フローである。なお、以下のフローは、情報処理装置１００上でＯＳ処理部１２０が稼動している状態で実行される処理である。
【００６１】
先ず、ＯＳ処理部１２０は、「ＰＣコピー要求」を受付ける（Ｓ１００）。具体的には、ＯＳ処理部１２０は、スキャナ６００が送信した「ＰＣコピー要求」をＮＷＩ／Ｆ１４０を介して受付ける。また、ＯＳ処理部１２０は、複合機２００が送信した「ＰＣコピー要求」をＩＯＩ／Ｆ１３０を介して受付ける。
【００６２】
次に、「ＰＣコピー要求」を受付けたＯＳ処理部１２０は、コピーユーティリティ処理部１１０を起動させる（Ｓ１０１）。そして、ＯＳ処理部１２０は、受付けた「ＰＣコピー要求」をコピーユーティリティ処理部１１０に送信する。なお、「ＰＣコピー要求」には、「画像データ」と、その「ＰＣコピー要求」を送信した機器を識別する「機器識別情報」とが含まれている。
【００６３】
次に、コピーユーティリティ処理部１１０は、「ＰＣコピー要求」を送信した機器が複合機であるか否かの判定を行う（Ｓ１０２）。具体的には、コピーユーティリティ処理部１１０は、ＯＳ処理部１２０から「機器情報」を取得し、その「機器情報」と、「ＰＣコピー要求」に含まれる「機器識別情報」とを用いて、「ＰＣコピー要求」を送信した機器が複合機であるか否かを判定する。
【００６４】
なお、上述の通り、「機器情報」には、情報処理装置１００に接続されている機器の「機器識別情報」と、その「機器識別情報」に対応付けられた「機器種別情報」とが含まれている。コピーユーティリティ処理部１１０は、「機器情報」の中に、「ＰＣコピー要求」に含まれる「機器識別情報」と同じ「機器識別情報」があり、且つその「機器識別情報」に対応付けられている「機器種別情報」が「複合機」を示す場合に、「ＰＣコピー要求」を送信した機器が情報処理装置１００に接続されている複合機であると判定する。
【００６５】
コピーユーティリティ処理部１１０は、複合機ではないと判定した場合、Ｓ１１０の処理に進む。一方、コピーユーティリティ処理部１１０は、複合機であると判定した場合、Ｓ１０３の処理に進む。
【００６６】
Ｓ１０３では、コピーユーティリティ処理部１１０は、ＯＳ処理部１２０から、ＯＳ処理部１２０が保持している「通常使うプリンタの機器識別情報」を取得し、Ｓ１０４に進む。
【００６７】
Ｓ１０４では、コピーユーティリティ処理部１１０は、「ＰＣコピー要求」を送信した複合機２００が、ＯＳ処理部１２０に設定されている「通常使うプリンタ」であるか否かを判定する。具体的には、コピーユーティリティ処理部１１０は、「ＰＣコピー要求」に含まれる「機器識別情報」と、Ｓ１０３で取得した「通常使うプリンタの機器識別情報」とを比較することにより複合機２００が通常使うプリンタとしてＯＳ処理部１２０に設定されているか否かを判定する。
【００６８】
コピーユーティリティ処理部１１０は、複合機２００が通常使うプリンタとしてＯＳ処理部１２０に設定されていると判定した場合にＳ１１０に進む。一方、コピーユーティリティ処理部１１０は、複合機２００が通常使うプリンタとしてＯＳ処理部１２０に設定されていないと判定した場合にＳ１０５に進む。
【００６９】
Ｓ１０５では、コピーユーティリティ処理部１１０は、利用者に、複合機２００で読み取った画像データを印刷するためのプリンタの設定を促す（Ｓ１０５）。具体的には、コピーユーティリティ処理部１１０は、複合機２００が読み取った画像データを印刷させるプリンタの設定を促す設定画面を生成し、生成した設定画面を表示装置４００の表示部４１０に表示する。なお、Ｓ１０５において、コピーユーティリティ処理部１１０は、複合機２００で読み取った画像データを印刷するためのプリンタの設定を促すデータ(プリンタ設定要求データ)を複合機２００に送信し、複合機２００の表示パネル２１０上に表示させるようにしてもよい。
【００７０】
次に、コピーユーティリティ処理部１１０は、利用者が設定画面にしたがい入力装置（図示しない）から入力するプリンタの設定を受付け、その受付けたプリンタを示す情報をＯＳ処理部１２０に通知する。また、コピーユーティリティ処理部１１０は、「ＰＣコピー要求」に含まれる画像データから印刷データを生成し、ＯＳ処理部１２０に印刷データを出力する。
【００７１】
なお、複合機２００の表示パネル２１０上に「プリンタの設定要求データ」を表示した場合、複合機２００は、入力部２２０を介してプリンタの設定を受付け、そのデータを情報処理装置１００のコピーユーティリティ処理部１１０に送信する。そして、コピーユーティリティ処理部１１０は、上記と同様の処理、すなわち、受付けたプリンタを示す情報をＯＳ処理部１２０に通知する処理を行う。
【００７２】
ＯＳ処理部１２０は、コピーユーティリティ処理部１１０が出力した印刷データを受付ける。そして、ＯＳ処理部１２０は、通知された利用者から受付けたプリンタに印刷データを出力する（Ｓ１０６）。例えば、利用者が印刷するプリンタとして複合機２００を選択したとする。この場合、ＯＳ処理部１２０から複合機２００に印刷データが送信され、複合機２００で印刷処理が行われる。
【００７３】
次に、Ｓ１０２においてＰＣコピー要求を送信した機器が複合機でないと判定された場合、および、Ｓ１０４において複合機２００がＯＳ処理部１２０に設定されている「通常使うプリンタ」であると判定した場合に進むＳ１１０の処理について説明する。
【００７４】
Ｓ１１０では、コピーユーティリティ処理部１１０は、「ＰＣコピー要求」に含まれる画像データから印刷データを生成し、生成した印刷データをＯＳ処理部１２０に出力する。そして、ＯＳ処理部１２０は、コピーユーティリティ処理部１１０が出力した印刷データを受付け、自身に設定されている「通常使うプリンタ」に印刷データを出力する。その結果、ＯＳ処理部１２０に設定されている通常使うプリンタで印刷処理が行われる。
【００７５】
続いて、Ｓ１０５〜１０６において、利用者にプリンタの設定を促し、利用者からの指示されたプリンタに印刷する処理について、２つの例を挙げて説明する。
【００７６】
先ず、第１の例を説明する。第１の例は、コピーユーティリティ処理部１１０が、表示装置４００の表示部４１０（または複合機２００の表示パネル２１０）に「通常使うプリンタ」を複合機２００に変更するように勧めるダイアログを表示させることで、プリンタの設定を促すものである。ここで、図４に、第１の例における、プリンタの設定を促すダイアログを模擬的に示す。
【００７７】
図示するように、ダイアログ７００には、「通常使うプリンタ」を複合機２００に変更するように勧めるコメントを表示する領域７０１と、利用者が「通常使うプリンタ」を変更するか否かを入力する入力ボタンを表示する領域７０２とが設けられている。利用者は、入力装置（図示しない）からダイアログ７００の領域７０２に設けられたボタンを選択することで、「通常使うプリンタ」を複合機２００に変更するか否かを入力する。
【００７８】
利用者がダイアログ７００の「はい」を示すボタンを選択した場合、コピーユーティリティ処理部１１０は、「通常使うプリンタ」を複合機２００に変更する旨をＯＳ処理部１２０に通知する。ＯＳ処理部１２０は、その通知を受けると、設定されている「通常使うプリンタ」を複合機２００に変更する。そして、ＯＳ処理部１２０は、コピーユーティリティ処理部１１０からの印刷データを複合機２００に送信し、複合機２００に印刷処理を実行させる。
【００７９】
利用者がダイアログ７００の「いいえ」を示すボタンを選択した場合、コピーユーティリティ処理部１１０は、「通常使うプリンタ」を変更しない旨をＯＳ処理部１２０に通知する。この場合、ＯＳ処理部１２０に設定されている「通常使うプリンタ」が選択されたこととなる。そして、ＯＳ処理部１２０は、コピーユーティリティ処理部１１０からの印刷データを、自身に設定されている「通常使うプリンタ」に送信し印刷処理を実行させる。
【００８０】
このように第１の例によれば、利用者は、複合機２００を操作してＰＣコピーを要求し、接続先の情報処理装置１００の通常使うプリンタの設定が複合機２００になっていない場合、必要であれば、その通常使うプリンタの設定を変更することができる。そして、利用者が設定を変更すれば、次に複合機２００からＰＣコピーを要求する際には、自動的に複合機２００にＰＣコピーの出力を実行させることができるようになる。
【００８１】
次に、第２の例を説明する。第２の例は、コピーユーティリティ処理部１１０が、表示装置４００の表示部４１０（または複合機２００の表示パネル２１０）に「印刷出力先を一時的に複合機２００に変更する」ことを勧めるダイアログを表示させることで、プリンタの設定を促すものである。ここで、図５に、第２の例における、プリンタの設定を促すダイアログを模擬的に示す。
【００８２】
図示するように、ダイアログ８００には、印刷出力先を一時的に複合機２００に変更することを勧めるコメントを表示するための領域８０１と、利用者が印刷出力先を一時的に複合機２００に設定するか否かを入力する入力ボタンを表示する領域８０２とが設けられている。利用者は、入力装置（図示しない）からダイアログ８００の領域８０２に設けられたボタンを選択することで、印刷出力先を一時的に複合機２００に設定するか否かを入力する。
【００８３】
利用者がダイアログ８００の「はい」を示すボタンを選択した場合、コピーユーティリティ処理部１１０は、複合機２００が利用者に選択された旨を通知する。ＯＳ処理部１２０は、その通知を受けると、コピーユーティリティ処理部１１０から送られてきた印刷データを複合機２００に出力する。なお、ここでは、第１の例のように、ＯＳ処理部１２０の「通常使うプリンタ」の設定変更は行わない。
【００８４】
利用者がダイアログ８００の「いいえ」ボタンを選択した場合、コピーユーティリティ処理部１１０は、ＯＳ処理部１２０に設定されている「通常使うプリンタ」が選択された旨を、ＯＳ処理部１２０に通知する。そして、ＯＳ処理部１２０は、コピーユーティリティ処理部１１０からの印刷データを、自身に設定されている「通常使うプリンタ」に送信し印刷処理を実行させる。
【００８５】
このように第２の例によれば、利用者は、複合機２００を操作してＰＣコピーを要求し、接続先の情報処理装置１００の通常使うプリンタの設定が複合機２００になっていない場合、そのＰＣコピーの印刷先だけを複合機２００に設定することができるようになる。そのため、通常は、情報処理装置１００に接続されている他のプリンタ（例えば、プリンタ３００）から印刷させたいが、複合機２００を利用する場合にだけ、複合機２００から印刷物を出力させたい場合等に有効である。
【００８６】
なお、上記において説明した２つの例は、あくまでも例示である。他の方法で利用者にプリンタの設定を促すようにしてもよい。例えば、コピーユーティリティ処理部１１０は、表示装置４００の表示部４１０に、情報処理装置１００に接続されているプリンタ（ここでは、複合機２００、プリンタ３００、およびプリンタ３１０）を示す情報（例えば品番）をリスト表示し、その中から印刷処理を実行させる機器の選択を受け付けるようにしてもよい。或いは、図４に示したダイアログ７００の内容と、図５に示したダイアログ８００の内容とを合わせたダイアログを表示して、利用者からの選択を受け付けるようにしてもよい。
【００８７】
このように、本実施形態によれば、複合機２００のスキャナ機能を使って原稿を読み取りＰＣコピーの操作を行った際に、利用者が読み取った原稿の出力先を選択することができるため、複合機２００を有する印刷システムの使い勝手を向上させることができる。
【００８８】
例えば、情報処理装置１００に設定されている「通常使用するプリンタ」が複合機２００の設置場所から離れた位置にある場合において、利用者が複合機２００にＰＣコピーを要求した場合、印刷システムが利用者にプリンタの設定を促してくれる。そして、利用者は、必要に応じてＰＣコピーの出力先を変更することができるようになる。そのため、例えば、利用者は、ＰＣコピーにより出力される印刷物をわざわざ遠くに設置されたプリンタまで取りに行く必要がなくなる。
【００８９】
また、上記のように構成することにより、複合機２００を有する印刷システムにおいて、ＰＣコピーが利用しやすくなる。なお、ＰＣコピーを利用することにより、複合機が複数ページ分のメモリを有さない機器であっても、大容量のスプールが可能となり、印刷速度に制限されずに原稿の読み取り作業が行えるようになる。
【００９０】
なお、本発明は、以上で説明した実施形態に限定されるものではなく、本発明の要旨の範囲内において種々の変形が可能である。例えば、上記実施形態の図３のフローでは、ＰＣコピー要求を送信したのが複合機２００であり、且つ情報処理装置１００の「通常使うプリンタ」が複合機２００に設定されていない場合に、Ｓ１０５〜１０６の処理を行うようにしたが特にこれにて限定するものではない。ＰＣコピー要求を送信したのが複合機２００の場合、情報処理装置１００の「通常使うプリンタ」が複合機２００に設定されていなくても、強制的に複合機２００から印刷するように制御してもよい。具体的には、図３のＳ１０２の処理において、ＰＣコピー要求の送信元が複合機２００と判定されれば、コピーユーティ処理部１１０は、ＯＳ処理部１２０に、印刷データを複合機２００から出力するように指示すればよい。
【００９１】
また、情報処理装置に接続されている機器の中で、ＰＣコピー要求を送信するのが複合機２００だけの場合には、図３のＳ１０２の処理を省略してもかまわない。
【００９２】
また、本実施形態では、複合機２００が情報処理装置１００にローカル接続されている場合を例にしているが特にこれに限定するものではない。例えば、複合機２００がネットワーク５００を介して情報処理装置１００と接続されていてもかまわない。
【００９３】
また、本実施形態では、利用者に印刷処理を行う機器の設定を促す方法として、表示装置４００或いは表示パネル２１０に画像情報を表示することにより行ったが特にこれに限定するものではない。例えば、印刷処理を行う機器の設定を促す音声情報を生成し、その音声情報を出力することで（例えば、情報処理装置１００に設けられているスピーカから音声出力させる）、利用者に印刷処理を行う機器の設定を促すようにしてもよい。
【図面の簡単な説明】
【００９４】
【図１】本発明の実施形態の印刷システムの機能ブロック図である。
【図２】本実施形態の情報処理装置のハードウェア構成図である。
【図３】本実施形態のＰＣコピー要求に対する処理フローである。
【図４】プリンタの設定を促すダイアログを模擬的に示した図である。
【図５】プリンタの設定を促すダイアログを模擬的に示した図である。
【符号の説明】
【００９５】
１０…ＣＰＵ、２０…主記憶装置、３０…補助記憶装置、１００…情報処理装置、１１０…コピーユーティリティ処理部、１２０…ＯＳ処理部、１３０…入出力インタフェース、１４０…ネットワークインタフェース、２００…複合機、２１０…表示パネル、２２０…入力部、２３０…画像読み取り部、２４０…印刷処理部、２５０…入出力インタフェース、３００…プリンタ、３１０…プリンタ、４００…表示装置、６００…スキャナ
【図１】
0004577176.tif 000002
【図２】
0004577176.tif 000003
【図３】
0004577176.tif 000004
【図４】
0004577176.tif 000005
【図５】
0004577176.tif 000006